(57)【特許請求の範囲】
【請求項１】
複数の相異なる記録フォーマットのトラックを複数有する情報記録媒体を記録再生する情報記録再生装置であって、
前記媒体に記録されている各トラックの音声エンコードの記録フォーマットを検出する音声エンコード記録フォーマット検出手段と、
前記音声エンコード記録フォーマット検出手段によって検出された結果に基づいて音声エンコード記録フォーマットの同じトラックが連続して再生されるように再生順序を決める再生順序決定手段と、
前記再生順序決定手段によって決定された再生順序を前記媒体の所定のエリアに書き込む再生順序書きこみ手段と
を備えることを特徴とする情報記録再生装置。
【請求項２】
複数の相異なる記録フォーマットのトラックを複数有する情報記録媒体を記録再生する情報記録再生装置であって、
記録データを入力するデータ入力手段と、
前記データ入力手段からの記録データの音声エンコードの記録フォーマットを検出する音声エンコード記録フォーマット検出手段と、
前記音声エンコード記録フォーマット検出手段によって検出された結果に基づいて音声エンコード記録フォーマットの同じトラックが連続して再生されるように再生順序を決める再生順序決定手段と、
前記再生順序決定手段によって決定された再生順序を前記媒体の所定のエリアに書き込む再生順序書きこみ手段と
を備えることを特徴とする情報記録再生装置。
【請求項３】
前記情報記録媒体に記録されている各トラックの日付データを取得するトラック日付取得手段をさらに有し、
前記再生順序決定手段は、音声エンコード記録フォーマットの同じトラックが連続して再生されるような再生順序を、
前記トラック日付取得手段により取得した日付順でさらに並べ替えることを特徴とする請求項１に記載の情報記録再生装置。
【発明の詳細な説明】
【０００１】
【発明の属する技術分野】
本願発明は、情報記録再生装置に関する。
【０００２】
【従来の技術】
音楽情報や映像情報が記録される情報記録媒体として、カセットテープ、ＤＡＴ（ディジタルオーディオテープ）などに代表される線状情報記録媒体や、ＬＤ（レーザディスク）、ＣＤ（コンパクトディスク）、ＭＤ（ミニディスク）、ＤＶＤ（ディジタルバーサタイルディスク）などに代表されるディスク状情報記録媒体が知られている。
【０００３】
近年、ディスク状情報記録媒体においても、情報の書込みおよび書換えが可能となり、記録されている情報へのアクセスが早いという利点と相まって、目覚しい普及を遂げている。
【０００４】
たとえばMDでは、通勤や通学途中などの移動中に利用される携帯型ＭＤプレーヤや車載用ＭＤプレーヤなどで多く普及してきている。このような状況で、移動中や運転中にディスク交換の手間を省きたい、また、英会話学習や講演会などの長時間録音をしたいといった理由で記録時間の長時間化が求められていた。
従来、ＭＤディスクに記録されるデータの圧縮方式はＡＴＲＡＣ（Adaptive  Transform  Acoustic  Coding）と呼ばれ、ＭＤディスク１枚の記録時間は最大８０分であった。しかしながら、最近、圧縮率をＡＴＲＡＣの２倍または４倍に向上することができるＡＴＲＡＣ３と呼ばれる圧縮方式が提案されている。ＡＴＲＡＣ３を採用すれば、ＭＤディスク１枚に記録できる時間は最大３２０分となる。たとえば１曲約５分の曲とし、１曲につき１トラックという単位を割り当てるとすれば、約６０トラックを録音できることになる。
【０００５】
【発明が解決しようとする課題】
ところで、１枚のディスクには、ＡＴＲＡＣ、ＡＴＲＡＣ３、どちらの方式でも記録することができる。しかしながら、ＡＴＲＡＣとＡＴＲＡＣ３とでは圧縮率が異なるために、当然、圧縮、伸長のアルゴリズムも異なる。ＡＴＲＡＣ、ＡＴＲＡＣ３が混在しているＭＤディスクを、たとえばＡＴＲＡＣ３に対応していないＭＤプレーヤで再生しようとすると、ＡＴＲＡＣ３のデータを伸長することができず、無音再生となるなど、正常に再生を行うことはできない。
このため、ユーザは、いわゆるプログラム再生機能を使ってＡＴＲＡＣのトラックだけを連続して再生するようにプログラムして再生をする必要があるが、ＭＤのトラック数は上述のとおり増加しており、たいへん手間のかかることとなる。
【０００６】
本願発明は、以上の点に鑑みてなされたものであり、その課題は、あらゆるプレーヤで不具合なく、かつ、ユーザの操作負荷を低減させて再生を行うことができるように情報記録媒体へ記録を行う情報記録再生装置を提供することを目的とする。
【０００７】
【課題を解決するための手段】
上記課題を解決するため、請求項１に記載の発明は、複数の相異なる記録フォーマットのトラックを複数有する情報記録媒体を記録再生する情報記録再生装置であって、前記媒体に記録されている各トラックの音声エンコードの記録フォーマットを検出する音声エンコード記録フォーマット検出手段と、前記音声エンコード記録フォーマット検出手段によって検出された結果に基づいて音声エンコード記録フォーマットの同じトラックが連続して再生されるように再生順序を決める再生順序決定手段と、前記再生順序決定手段によって決定された再生順序を前記媒体の所定のエリアに書き込む再生順序書きこみ手段とを備えるように構成する。
【０００８】
請求項１に記載の発明によれば、異なるフォーマットで記録されているトラックが混在している情報記録媒体のトラックの再生順序を、同じフォーマットのトラックを連続して再生させるように自動的に並べかえ、再生順序の情報を所定のエリアに書きこむ。このことによって、たとえば、ＡＴＲＡＣ、ＡＴＲＡＣ３のトラックが混在しているＭＤディスクを、ＡＴＲＡＣ３に対応していないＭＤプレーヤで再生しようとしたときに、再生可能なＡＴＲＡＣのトラックのみの再生を容易に行うことができる。従って、再生不可能なトラックで無音再生となるなどの不具合はなく、また、ユーザは予め膨大なトラックのプログラムを行う必要もなく、ディスクの再生を行うことができる。
【０００９】
【発明の実施の形態】
以下、本願発明の好適な実施の形態を添付図面に基づいて説明する。図１は本願発明のＭＤ記録再生装置の構成図である。
【００１０】
ＭＤ２０は記録可能な磁性膜を有する光磁気ディスク本体と、この光磁気ディスク本体を保護するためのカートリッジと、を有している。光磁気ディスク本体には案内溝が形成されており、この案内溝は絶対時間情報を示すデータ（ＡＤＩＰ：ADrress In Pre-groove）をＦＭ変調した周波数でウォブリング（蛇行）するように形成されている。
【００１１】
図１に示すように、このＭＤ記録再生装置１００は、光磁気ディスク本体を回転駆動するためのスピンドルモータ１と、図示しないアクチュエータおよび偏光ビームスプリッタを有し、回転する光磁気ディスク本体にレーザビームを照射し、このレーザビームが光磁気ディスク本体の磁性膜において、磁気Ｋｅｒｒ効果により偏光面がわずかに回転して反射され戻ってきたビーム中から光磁気信号を読取り、ＲＦ（Radio Frequency）信号を出力するための光磁気ピックアップ２と、ＲＦ信号を適当なレベルにまで増幅するためのＲＦアンプ７と、ＲＦ信号中からウォブリング周波数を検出することにより情報未記録時においても光磁気ディスク本体における時間的位置が検出可能なＡＤＩＰデコーダ６と、再生時に増幅されたＲＦ信号からＥＦＭ信号（EFM:Eight to Fourteen Modulation）を抽出し、記録時に記録データをＥＦＭ信号に変換して出力するためのＥＦＭエンコーダデコーダ９と、レーザビームによりキュリー温度以上に熱せられた磁性膜の位置に磁界変調を与えて情報を書き込むための磁気ヘッド３と、この磁気ヘッド３を駆動するためのヘッド駆動回路５と、４Ｍｂｉｔ程度の記録情報データを一旦貯え、先入れ先出し方式（First-in First-out）で出力し、振動などによる音飛び等を防止するためのＤＲＡＭ（Dynamic Random Access Memory）１２と、このＤＲＡＭ１２に対するデータの入出力を制御するためのＤＲＡＭコントロール回路１１と、情報記録時に外部から入力されるアナログ情報信号をデジタル情報信号に変換するためのＡ／Ｄコンバータ１５と、変換されたデジタル情報信号のデータ量を人間の耳の最小可聴限特性、マスキング効果等を利用して圧縮するためのデータ圧縮エンコーダ１３と、情報再生時にＭＤ２０から読み出されＥＦＭ復調された信号のデータ伸張を行いデジタルオーディオ信号を出力するためのデータ伸長デコーダ１４と、復元されたデジタルオーディオ信号をアナログ信号に変換するためのＤ／Ａコンバータ１６と、光磁気ピックアップ２を光磁気ディスク本体の半径方向に移動させるためのキャリッジ４と、スピンドルモータ１、キャリッジ４および図示しないアクチュエータをサーボ制御するためのサーボコントロール回路８と、このＭＤ記録再生装置１００の各部を制御するためのシステムコントローラ１０と、システムコントローラ１０に外部から操作指令を与えるためのキー入力部１８と、このＭＤ記録再生装置１００の再生状態等を表示するための表示部１７と、を備えており、これら各部は図示のように接続されている。
【００１２】
このように構成することにより、サーボコントロール回路８は、ＲＦアンプからのＲＦ信号を受けて、キャリッジ４および図示しないアクチュエータを制御するための制御信号を抽出して送り、レーザビームを光磁気ディスク本体の案内溝から外れないようにトラッキングサーボ制御を行う。またサーボコントロール回路８は、ＥＦＭエンコーダデコーダ９からのＥＦＭ信号中に含まれるクロック信号に基づき、スピンドルモータ１を回転させるための制御信号を送ることにより、スピンドルサーボ制御を行う。
【００１３】
キー入力部１８は、ＭＤディスクに記録されている圧縮方式すなわち記録フォーマット別に自動でトラックの並べ替えを行う記録フォーマット別自動編集キーや、記録フォーマット別自動記録キーなどのキーを備えている。
システムコントローラ１０は、ＣＰＵ１０ａ、ＲＯＭ１０ｂ、ＲＡＭ１０ｃを備えている。ＣＰＵ１０ａは、キー入力部１８から入力される操作指令や後述するＴＯＣ、ＵＴＯＣと呼ばれる管理情報等に基づいて、ＭＤ記録再生装置１００各部の制御を行う。ＲＯＭ１０ｂには各種の制御プログラムが格納されている。ＲＡＭ１０ｃは主に作業領域として利用される。
圧縮エンコーダ１３は、ＡＴＲＡＣをエンコードするためのＡＴＲＡＣ用圧縮エンコーダ１３ａとＡＴＲＡＣ３をエンコードするためのＡＴＲＡＣ３用圧縮エンコーダ１３ｂを備える。また、伸長デコーダ１４も、同様に、ＡＴＲＡＣをデコードするためのＡＴＲＡＣ用伸長デコーダ１４ａとＡＴＲＡＣ３をデコードするためのＡＴＲＡＣ３用伸長デコーダ１４ｂを備える。再生時には、システムコントローラ１０内のＣＰＵ１０ａは、後述するＵＴＯＣエリアの情報を読み出し、それに基づいて、ＡＴＲＡＣ用デコーダ１４ａ、ＡＴＲＡＣ３用デコーダ１４ｂいずれかを選択する。また、記録時には、ＣＰＵ１０ａは、キー入力部からＡＴＲＡＣ、ＡＴＲＡＣ３どちらの方式で記録するかの指令を受け、ＡＴＲＡＣ用エンコーダ１３ａ、ＡＴＲＡＣ３用エンコーダ１３ｂいずれかを選択する。
【００１４】
次に、記録可能なＭＤディスクは、リードインエリア、ＵＴＯＣ（User  Table Of Contents）エリア、プログラムエリア、リードアウトエリアの領域に分けられている。
リードインエリアは、ＴＯＣ（Table Of Contents）データエリアで、再生専用ディスクか記録可能ディスクかなどのディスクの管理情報などが記録されるエリアである。ＵＴＯＣエリアは、ユーザによって記録されるデータのトラック管理情報を書きこむエリアで、曲順やトラックの開始アドレス、終了アドレス、時間情報、ディスク名やアーチスト名などの文字情報などが書きこまれるエリアである。記録圧縮方式がＡＴＲＡＣかＡＴＲＡＣ３かの情報もＵＴＯＣエリアに書きこまれる。プログラムエリアは、音楽や音声などのデータが記録されるエリアである。
【００１５】
次に本願発明の動作について述べる。図２は本願発明の動作フローを説明するための図である。
【００１６】
システムコントローラ１０は、キー入力部１８から記録フォーマット別自動編集の指令を受けると、１トラック目から順に、ＵＴＯＣエリア上の記録フォーマットがＡＴＲＡＣであるかＡＴＲＡＣ３であるかを読み取り、ＡＴＲＡＣであればプログラムを行う（Ｓ１〜Ｓ５）。プログラムとは、システムコントローラ１０内のＲＡＭ１０ｃに、再生する順序とトラックを対応させて記憶させておくことである。最終トラックまで、プログラムを行ったら、プログラムされなかったトラックは、プログラムされたトラックの後に配置されるようにＲＡＭ１０ｃに記憶される（Ｓ６）。本願発明の場合、ＡＴＲＡＣのトラックをプログラムするので、再生順序の前半に連続するようにＡＴＲＡＣのトラックが配置され、後半にＡＴＲＡＣ３のトラックが配置されることとなる。
Ｓ６が終了したら、ピックアップをＵＴＯＣエリア内の再生順序を書きこむための所定の位置へと移動させ（Ｓ７）、ＲＡＭ１０ｃに書きこまれた内容に基づいて再生順序の書きこみを行う（Ｓ８）。
【００１７】
次に、図３乃至図５を用いて本願発明の動作を行った際のディスクの記録状態を説明する。
【００１８】
図３は、あるＭＤディスクのプログラムエリアの記録状態を分かりやすく説明するための図である。図３では、全部で６曲分の曲データが記録されている。記録方式は、曲１、曲４、曲５はＡＴＲＡＣ３、曲２、曲３、曲６はＡＴＲＡＣで記録されている。そして、例えば曲１はアドレス０番地からスタートして９９番地で終了している。
【００１９】
図４は、図３に示すＭＤディスクのＵＴＯＣエリアの所定のエリアに書きこまれる再生順序に関する情報を分かりやすく説明するための図である。図４では、例えばアドレス０〜９９番地の曲データすなわち曲１が１番目に再生されることが示されている。本願発明の実施例においては、曲データ１曲を１トラックとする。そして、トラック番号は、再生する順に付されるものとする。たとえば、曲１はトラック番号１のトラックとなる。
【００２０】
本願発明の動作を、図３、図４に示すプログラムエリア、ＵＴＯＣエリアを有するディスクに対して行うと、プログラムエリアは図３と変わらずそのままで、ＵＴＯＣエリアは図５に示すような状態となる。図５では、アドレス１００〜１４９番地の曲データすなわち曲２が１番目に再生され、アドレス１５０〜１９９番地の曲データすなわち曲３が２番目に再生され、アドレス４００〜４９９番地の曲データすなわち曲６が３番目に再生されることが示されている。つまり、ＵＴＯＣエリアにこのような情報が書きこまれている当該ＭＤディスクを再生すると、ＡＴＲＡＣの曲は１〜３番目に再生される。そして、ＡＴＲＡＣ３の曲は４〜６番目に再生される。なお、トラック番号は、再生される順序の番号に自動的に採番し直される。図５においては本願発明の動作前と後をわかりやすく比較するために便宜上、動作前のトラック番号も旧トラック番号として記載した。
【００２１】
このように編集されたＭＤディスクをＡＴＲＡＣ３に対応していなくて、ＡＴＲＡＣに対応しているＭＤ記録再生装置で再生すると、トラック１〜３を再生し、トラック４からは無音再生となる。また、ユーザによってトラック１〜３を繰り返し再生するようにいわゆるリピート再生の操作がなされれば、無音再生となることはない。また、このように編集されたＭＤディスクをＡＴＲＡＣに対応していなくて、ＡＴＲＡＣ３に対応しているＭＤ記録再生装置で再生する場合には、トラック４から再生をスタートするようにトラックサーチボタンを押すか、トラック４〜６を繰り返し再生するようにリピート再生の操作を行うなどすれば、ユーザによる操作の手間を最低限に抑えて正常な再生を行うことができる。
【００２２】
次に、図６は、本願発明の第２の実施例について説明するための図である。
図６に示すＭＤ記録再生装置２００においては、図１に示すＭＤ記録再生装置１００と同一の番号を付したものは同一の働きをするので説明を省略する。ＭＤ記録再生装置２００は、ＭＤ２０から読み出された信号を伸長デコーダ１４を通過させないで、圧縮データのまま出力することができる出力端子ＯＵＴ２を有する。また、外部のＭＤから圧縮データのまま入力することができる入力端子ＩＮ２を有する。入力端子ＩＮ２から入力されるデータはＡＴＲＡＣまたはＡＴＲＡＣ３で圧縮されているデータである。入力端子ＩＮ２からは、音楽や音声のデータのみでなく、記録フォーマット等ディスクの情報やトラックの情報などのサブデータも入力され、出力端子ＯＵＴ２からは、音楽や音声のデータのみでなく、記録フォーマット等ディスクの情報やトラックの情報などのサブデータも出力される。また、入力端子ＩＮ２からは、入力端子ＩＮ２に接続された装置の再生停止や再生出力中などの状態を知らせるサブデータも入力される。受信信号復調器１９は、入力端子ＩＮ２から入力されてくるデータを、音楽や音声などの記録データｄｔとサブデータｓｄｔとを分離して、それぞれデータｄｔはＤＲＡＭコントロール１１へ、サブデータｓｄｔはシステムコントローラ１０へと出力する。また、受信信号復調器１９は、サブデータｓｄｔを出力する際にシステムコントロール１０で解読可能な信号に変換するという働きも担う。図７は、ＭＤ記録再生装置２００において、入力端子ＩＮ２から記録データを入力してダビングする際の動作を示している。
【００２３】
キー入力部１８から記録フォーマット別自動記録の指令を受けると、システムコントローラ１０は、サブデータｓｄｔにより、入力端子ＩＮ２より入力されたデータがＡＴＲＡＣであるかＡＴＲＡＣ３であるかを検出し、ＡＴＲＡＣであれば、プログラムを行う（Ｓ１〜Ｓ３）。前述の通りプログラムとは、システムコントローラ１０内のＲＡＭ１０ｃに、再生する順序とトラックを対応させて記憶させておくことである。記録データｄｔは、記録可能なＭＤディスクのプログラムエリアに記録される（Ｓ４）。システムコントローラ１０は、サブデータｓｄｔにより、入力端子ＩＮ２に接続されている装置が再生停止となったかどうかを検出する。再生停止だった場合には、ダビングするデータの受信が終了したと判断してＳ８へ移る。再生中だった場合には、Ｓ６へ移る。Ｓ６でトラックの切り替わりを検出したら、次のトラックについてＳ２からの動作を繰り返す。Ｓ８において、プログラムされなかったトラックは、プログラムされたトラックの後に配置されるようにＲＡＭ１０ｃに記憶される（Ｓ８）。次に、ピックアップをＵＴＯＣエリア内の再生順序を書きこむための所定の位置へと移動させ（Ｓ９）、ＲＡＭ１０ｃに書きこまれた内容に基づいて再生順序を書きこむ（Ｓ１０）。なお、記録データｄｔをプログラムエリアへ記録する動作をＳ４としたが、記録データｄｔは、システムコントローラ１０には送信されないので、Ｓ４はシステムコントローラ１０内の処理順序と連動している必要はない。従って、プログラムエリアへの記録タイミングは、入力されてくる記録データを受信する速さやＤＲＡＭからの読出し速度等との関係が保たれていれば良く、Ｓ４に限定されるものではない。また、Ｓ５において、システムコントローラ１０は、入力端子ＩＮ２に接続されている装置の再生停止によってダビングするデータの受信を終了と判断したが、ダビング終了を知らせるためのデータを個別に受信するなどしてダビングするデータの受信終了と判断しても良い。
【００２４】
図８は、ＭＤ記録再生装置２００において、外部から記録データを入力してダビングする際の別の動作フローを示している。
【００２５】
キー入力部１８から記録フォーマット別自動記録の指令を受けると、まず通常の記録動作が行われる（Ｓ１）。通常の記録動作とは、音楽や音声のデータをプログラムエリアに記録し、プログラムエリアへの記録がすべて終了したら、入力された順序を再生順序としてＵＴＯＣエリアに記録するという動作である。通常の記録動作が終了したら（Ｓ２）、すみやかにピックアップをＵＴＯＣエリア上の再生順序が記録されている所定のエリアの先頭へと移動させる。そして再生パワーを出力させる。システムコントローラ１０は、１トラック目から順に、記録フォーマットがＡＴＲＡＣであるかＡＴＲＡＣ３であるかを読み取り、ＡＴＲＡＣであればプログラムを行う（Ｓ３〜Ｓ７）。最終トラックまでＡＴＲＡＣであるかＡＴＲＡＣ３であるかの確認を行ったら、プログラムされなかったトラックを、プログラムされたトラックの後に配置されるようにＲＡＭ１０ｃに記憶する（Ｓ８）。Ｓ８が終了したら、ピックアップをＵＴＯＣエリア内の再生順序を書きこむための所定の位置へと移動させ（Ｓ９）、ＲＡＭ１０ｃに書きこまれた内容に基づいて再生順序の書きこみを行う（Ｓ１０）。
【００２６】
図６のような構成をとることにより、ＡＴＲＡＣとＡＴＲＡＣ３が混在しているなど異なるフォーマットで記録がなされているディスクからダビングをおこなう際に、記録フォーマットの同じトラックが連続して再生されるように記録を行うことができる。
【００２７】
さらに、第３の実施例として図６に示すようなＭＤ記録再生装置２台を、再生用２００Ｐ、記録用２００Ｒとして、２００Ｐの出力端子ＯＵＴ２を２００Ｒの入力端子ＩＮ２に接続して一つの筐体内に配置する構成をとったＭＤ記録再生装置３００を図９に示す。２００Ｐ、２００Ｒの内部は、図６に示すＭＤ記録装置２００と同様とする。ただし、システムコントローラ１０、キー入力部１８及び表示部１７は図９に示すように２台の装置で兼用することができるものとする。また、システムコントローラ１０で再生用２００Ｐ、記録用２００Ｒの２台を制御することができるので、入力端子ＩＮ２、出力端子ＯＵＴ２で送受信するデータにはサブデータは必要ない。従って受信信号復調器１９は不要である。図１０は、再生用装置２００Ｐの出力端子ＯＵＴ２から記録用装置２００Ｒの入力端子ＩＮ２へ記録データを送受信してダビングする際の本願発明の動作を説明する図である。
【００２８】
再生用装置２００ＰにＡＴＲＡＣとＡＴＲＡＣ３が混在しているディスクをセットし、記録用装置２００Ｒに記録可能なＭＤディスクをセットする。キー入力部１８から記録フォーマット別自動記録の指令を受けると、システムコントローラ１０は、まず、再生用装置２００Ｐに対して制御を行う。再生用装置２００ＰにセットされたＭＤディスクの１トラック目から順に、ＵＴＯＣエリア上の記録フォーマットがＡＴＲＡＣであるかＡＴＲＡＣ３であるかを読み取り、ＡＴＲＡＣであればプログラムを行い、システムコントローラ１０内のＲＡＭ１０ｃに、再生する順序とトラックを対応させて記憶させる（Ｓ１〜Ｓ５）。最終トラックまでＡＴＲＡＣであるかＡＴＲＡＣ３であるかの確認を行ったら、プログラムされなかったトラックを、プログラムされたトラックの後に配置されるようにＲＡＭ１０ｃに記憶する（Ｓ６）。そして、ＲＡＭ１０ｃに記憶された再生順序に基づいて再生を行い、出力端子ＯＵＴ２から記録用装置２００Ｒへと出力する（Ｓ７）。次に、システムコントローラ１０は、記録用装置２００Ｒに対して制御を行う。２００Ｒの入力端子ＩＮ２より入力されてくる音楽や音声などの記録データは、入力された順にプログラムエリアに記録がなされる（Ｓ８）。プログラムエリアへの記録がすべて終了したら、ピックアップをＵＴＯＣエリア内の再生順序を書きこむための所定の位置へと移動させ（Ｓ１０）、ＲＡＭ１０ｃに書きこまれている内容に基づいて再生順序を書きこむ（Ｓ１１）。以上のような動作によって、前半にＡＴＲＡＣ、後半にＡＴＲＡＣ３が再生されるＭＤディスクが作成される。
【００２９】
図９のような構成をとることにより、ＡＴＲＡＣとＡＴＲＡＣ３が混在しているなど異なるフォーマットで記録がなされているディスクからダビングをおこなう際に、記録フォーマットの同じトラックが連続して再生されるように記録を行うことができる。記録用装置と再生用装置を共通のシステムコントローラで制御を行うことができるので、図６のように、記録用装置と再生用装置の間でディスク情報等のサブデータを送受信する必要がなく、より簡単な構成で実現することができる。
【００３０】
なお、上述した第２、第３の実施例では、入力端子ＩＮ２から圧縮されたデータを入力するとしたが、記録データ以外に、サブデータを受け取ることが出きればよいので、いわゆる光入力等のデジタル入力であってもかまわない。
【００３１】
このようにダビングされたＭＤディスクをＡＴＲＡＣ３に対応していなくて、ＡＴＲＡＣに対応しているＭＤ記録再生装置で再生すると、トラック１〜３を再生し、トラック４からは無音再生となる。また、ユーザによってトラック１〜３を繰り返し再生するようにいわゆるリピート再生の操作がなされれば、無音再生となることはない。また、このように編集されたＭＤディスクをＡＴＲＡＣに対応していなくて、ＡＴＲＡＣ３に対応しているＭＤ記録再生装置で再生する場合には、トラック４から再生をスタートするようにトラックサーチボタンを押すか、トラック４〜６を繰り返し再生するようにリピート再生の操作を行うなどすれば、ユーザによる操作の手間を最低限に抑えて正常な再生を行うことができる。
【００３２】
上記３つの実施例において、ＡＴＲＡＣかＡＴＲＡＣ３かによって再生順序を並べ替えるとしたが、その上でさらに、所望の再生順序を予め指定できる構成をとってもよい。例えば、ＭＤディスクのＵＴＯＣエリアに記録されているデータとして、日付データがあるが、これを利用して、日付が新しい順に自動的に並べ替えることができる。これにより、英会話レッスン等の日付順が重要なデータを効果的に再生することができる。このように、ＡＴＲＡＣかＡＴＲＡＣ３かによって再生順序を並べ替え、さらに、ＵＴＯＣエリアの情報を利用して所望の再生順序を指定できる構成を取ることが可能である。
【００３３】
なお、上記３つの実施例では、ＭＤについて述べたが、本願発明はＭＤに限定されるものではない。
【００３４】
また、上記３つの実施例では、ＡＴＲＡＣを前半に、ＡＴＲＡＣ３を後半に配置するように編集を行うとしたが、ユーザが再生可能なフォーマットで記録されたデータを連続して再生できればよく、これに限定されるものではない。
【００３５】
また、上記３つの実施例においては、曲データ１曲を１トラックとしたが、トラックは、情報の単位として用いられていれば曲以外のデータであってもよい。
【００３６】
以上説明したように、ＡＴＲＡＣ、ＡＴＲＡＣ３のトラックが混在しているＭＤディスクのトラックの再生順序を自動的に並べ替え、同じ記録フォーマットで記録されているトラックを連続して再生させるような情報をＵＴＯＣエリアに書きこむ。このことによって、ＡＴＲＡＣ、ＡＴＲＡＣ３のトラックが混在しているＭＤディスクをＡＴＲＡＣ３に対応していないＭＤ記録再生装置で再生しようとしたときに、ＡＴＲＡＣのトラックのみの再生を容易に行うことができる。また、再生順序を自動的に並べ替える際に、再生順序の前半にＡＴＲＡＣのトラックが配置され、後半にＡＴＲＡＣ３のトラックが配置される。このことによって、新たに提案されているＡＴＲＡＣ３で記録することが広く普及したときに、従来から普及しているＡＴＲＡＣ３に対応していないＭＤ再生装置であっても、ユーザの操作の手間を最低限に抑えて正常な再生を行うことができる。
【００３７】
【発明の効果】
よって本願発明によれば、同じ記録フォーマットのトラックを連続して再生させることができるように情報記録媒体へ記録を行うことができる。これにより、再生不可能なトラックで無音再生となるなどの不具合はなく、かつ、ユーザの操作の手間を最低限に抑えて情報記録媒体の再生を行うことができる。
【図面の簡単な説明】
【図１】本願発明の実施形態にかかる情報記録再生装置の構成を示す図である。
【図２】本願発明の動作フローを説明するための図である。
【図３】ＭＤディスクのプログラムエリアの記録状態を説明するための図である。
【図４】ＭＤディスクのＵＴＯＣエリアの記録状態を説明するための図である。
【図５】図３、図４で示したＭＤディスクに対して本願発明を適用した後のＵＴＯＣエリアの記録状態を説明するための図である。
【図６】本願発明の第２の実施形態にかかる情報記録再生装置の構成を示す図である。
【図７】本願発明の第２の実施形態の動作フローを説明するための図である。
【図８】本願発明の第２の実施形態の別の動作フローを説明するための図である。
【図９】本願発明の第３の実施形態にかかる情報記録再生装置の構成を示す図である。
【図１０】本願発明の第３の実施形態の動作フローを説明するための図である。
【符号の説明】
２  光ピックアップ
３  磁気ヘッド
５  ヘッド駆動回路
６  ＡＤＩＰデコーダ
７  ＲＦアンプ
８  サーボコントロール回路
９  ＥＦＭエンコーダデコーダ
１１  ＤＲＡＭコントロール回路
１２  ＤＲＡＭ
１３  データ圧縮エンコーダ
１３ａ  ＡＴＲＡＣ用データ圧縮エンコーダ
１３ｂ  ＡＴＲＡＣ３用データ圧縮エンコーダ
１４  データ伸長デコーダ
１４ａ  ＡＴＲＡＣ用データ伸長デコーダ
１４ｂ  ＡＴＲＡＣ３用データ伸長デコーダ
１０  システムコントローラ
１０ａ  ＣＰＵ
１０ｂ  ＲＯＭ
１０ｃ  ＲＡＭ
１７  表示部
１８  キー入力部
１９  受信信号復調器
１００  光磁気ディスク記録再生装置
２００  光磁気ディスク記録再生装置
【図１】
0004185252.tif 000002
【図２】
0004185252.tif 000003
【図３】
0004185252.tif 000004
【図４】
0004185252.tif 000005
【図５】
0004185252.tif 000006
【図６】
0004185252.tif 000007
【図７】
0004185252.tif 000008
【図８】
0004185252.tif 000009
【図９】
0004185252.tif 000010
【図１０】
0004185252.tif 000011